(57)【特許請求の範囲】
【請求項１】
撮像用画素が配列された撮像面を備える撮像素子と、
前記撮像面に被写体像を結像させる撮像レンズと前記撮像面との間に設けられ、静止画を取得する際に露光時間を調整するシャッタユニットと、
前記撮像素子により静止画を取得する撮像制御部と、
画像を出力する画像出力部と、
前記撮像素子により第１のフレームレートで第１のスルー画を取得して前記第１のスルー画を前記画像出力部により出力する第１のスルー画処理と、前記撮像素子により第１のフレームレートより高い第２のフレームレートで第２のスルー画を取得して前記第２のスルー画を前記画像出力部により出力する第２のスルー画処理と、のいずれかを実行するスルー画処理部と、
前記シャッタユニットの状態を判定し、判定した前記シャッタユニットの状態に応じて前記スルー画処理部により実行するスルー画処理を前記第１のスルー画処理と前記第２のスルー画処理とで切り替えるスルー画制御部と、
を具備する撮像装置。
【請求項２】
前記撮像制御部は、前記シャッタユニットを開閉させて前記撮像素子により静止画を撮像し、
前記スルー画制御部は、前記シャッタユニットが開放状態であるか半遮光状態であるかを前記シャッタユニットの状態として判定し、前記シャッタユニットが開放状態である場合に前記第１のスルー画処理を実行し、前記シャッタユニットが半遮光状態である場合に前記第２のスルー画処理を実行するように前記スルー画処理部を制御する請求項１に記載の撮像装置。
【請求項３】
前記第２のフレームレートは、前記第１のフレームレートの整数倍である請求項１または２に記載の撮像装置。
【請求項４】
前記第１のフレームレートは、６０フレーム毎秒であり、前記第２のフレームレートは、１２０フレーム毎秒である請求項３に記載の撮像装置。
【請求項５】
前記スルー画制御部は、前記静止画の撮像時に前記シャッタユニットが遮光状態から半遮光状態になる第１のタイミングと、前記シャッタユニットが半遮光状態から開放状態になる第２のタイミングと、を算出し、前記第２のタイミングと前記第１のタイミングと前記第２のフレームレートとに基づいて前記第２のスルー画処理を開始する第３のタイミングを算出し、算出した前記第３のタイミングから前記第２のスルー画処理を開始するように前記スルー画処理部を制御する請求項２に記載の撮像装置。
【請求項６】
前記スルー画処理部は、前記撮像素子により第２のフレームレートより高い第３のフレームレートで第３のスルー画を取得して前記第３のスルー画を前記画像出力部により出力する第３のスルー画処理をさらに行い、
前記スルー画制御部は、前記第２のタイミングと前記第３のタイミングとの間に前記第３のスルー画処理を行うように前記スルー画処理部を制御する請求項５に記載の撮像装置。
【請求項７】
前記撮像制御部は、前記シャッタユニットを開閉させて前記撮像素子により静止画を撮像し、
前記スルー画制御部は、前記静止画の撮像後に前記第２のスルー画処理によって１フレーム分の前記第２のスルー画を出力した後に前記第１のスルー画処理を開始するように前記スルー画処理部を制御する請求項１に記載の撮像装置。
【請求項８】
前記スルー画制御部は、連写中である、被写体を追尾中である、またはフレーム間で所定以上移動する被写体が写っている場合に前記シャッタユニットの状態に応じて前記スルー画処理部により実行するスルー画処理を前記第１のスルー画処理と前記第２のスルー画処理とで切り替える請求項１に記載の撮像装置。
【請求項９】
前記スルー画処理部は、前記撮像素子から出力される信号を第１のゲインで調整して前記第１のスルー画を取得し、前記撮像素子から出力される信号を第１のゲインよりも利得の高い第２のゲインで調整して前記第２のスルー画を取得する請求項１乃至８のいずれか１項に記載の撮像装置。
【請求項１０】
撮像用画素が配列された撮像面を備える撮像素子と、前記撮像面に被写体像を結像させる撮像レンズと前記撮像面との間に設けられ静止画を取得する際に露光時間を調整するシャッタユニットと、前記撮像素子により静止画を取得する撮像制御部と、画像を出力する画像出力部と、スルー画処理部と、スルー画制御部と、を具備する撮像装置の制御方法であって、
前記スルー画処理部は、前記撮像素子により第１のフレームレートで第１のスルー画を取得して前記第１のスルー画を前記画像出力部により出力する第１のスルー画処理と、前記撮像素子により第１のフレームレートより高い第２のフレームレートで第２のスルー画を取得して前記第２のスルー画を前記画像出力部により出力する第２のスルー画処理と、のいずれかを実行し、
前記スルー画制御部は、前記シャッタユニットの状態を判定し、判定した前記シャッタユニットの状態に応じて前記スルー画処理部により実行するスルー画処理を前記第１のスルー画処理と前記第２のスルー画処理とで切り替える、
撮像装置の制御方法。
【発明の詳細な説明】
【技術分野】
【０００１】
本発明は、撮像装置、及び撮像装置の制御方法に関する。
【背景技術】
【０００２】
撮像装置は、一般的に、光を画像信号に変換する撮像素子と、撮像素子に光を結像させるレンズなどの光学系と、光学系を透過した光が撮像素子に入射する時間である露光時間を制御するシャッタと、画像信号に基づく画像を表示する表示装置と、を備える。撮像装置は、撮像素子により撮像した画像を表示装置に逐次表示するスルー画表示を行うことにより、ユーザに被写体を確認させることができる。
【先行技術文献】
【特許文献】
【０００３】
【特許文献１】特開２００９−２１９９１号公報
【発明の概要】
【発明が解決しようとする課題】
【０００４】
上記のような撮像装置は、撮像動作を実行する場合、スルー画の取得を停止し、シャッタを動作させて撮像素子の露光時間を制御する。露光が完了すると、撮像装置は、撮像素子から画像信号を読み出す。画像信号の読み出しが完了すると、撮像装置は、シャッタを開き、スルー画の取得を再開する。しかし、スルー画の表示が行われない期間（像消失期間）が長くなると、ユーザが被写体を見失う可能性があるという課題がある。
【０００５】
本発明は、利便性の高い撮像装置、及び撮像装置の制御方法を提供することを目的とする。
【課題を解決するための手段】
【０００６】
一実施形態に係る撮像装置は、撮像用画素が配列された撮像面を備える撮像素子と、前記撮像面に被写体像を結像させる撮像レンズと前記撮像面との間に設けられ、静止画を取得する際に露光時間を調整するシャッタユニットと、前記撮像素子により静止画を取得する撮像制御部と、画像を出力する画像出力部と、前記撮像素子により第１のフレームレートで第１のスルー画を取得して前記第１のスルー画を前記画像出力部により出力する第１のスルー画処理と、前記撮像素子により第１のフレームレートより高い第２のフレームレートで第２のスルー画を取得して前記第２のスルー画を前記画像出力部により出力する第２のスルー画処理と、のいずれかを実行するスルー画処理部と、前記シャッタユニットの状態を判定し、判定した前記シャッタユニットの状態に応じて前記スルー画処理部により実行するスルー画処理を前記第１のスルー画処理と前記第２のスルー画処理とで切り替えるスルー画制御部と、を具備する。
【発明の効果】
【０００７】
より利便性の高い撮像装置、及び撮像装置の制御方法を提供することができる。
【図面の簡単な説明】
【０００８】
【図１】図１は、一実施形態に係る撮像装置の制御系の例について説明する為の図である。
【図２】図２は、一実施形態に係る撮像装置の外観の例について説明する為の図である。
【図３】図３は、一実施形態に係る撮像装置のシャッタユニット近傍の構成の例について説明する為の図である。
【図４】図４は、第１の実施形態に係る撮像装置の動作の例について説明する為の図である。
【図５】図５は、第１の実施形態に係る撮像装置の動作の例について説明する為の図である。
【図６】図６は、第１の実施形態に係る撮像装置の動作の例について説明する為の図である。
【図７】図７は、第２の実施形態に係る撮像装置の動作の例について説明する為の図である。
【図８】図８は、第２の実施形態に係る撮像装置の動作の例について説明する為の図である。
【図９】図９は、第３の実施形態に係る撮像装置の動作の例について説明する為の図である。
【図１０】図１０は、第３の実施形態に係る撮像装置の動作の例について説明する為の図である。
【発明を実施するための形態】
【０００９】
以下、図を参照しながら、一実施形態に係る撮像装置、及び撮像装置の制御方法について詳細に説明する。
【００１０】
図１は、一実施形態に係る撮像装置１の制御系の例について説明する為の図である。図２は、一実施形態に係る撮像装置１の外観の例について説明する為の図である。図３は、一実施形態に係る撮像装置１のシャッタユニット近傍の構成の例について説明する為の図である。
【００１１】
図１及び図２に示すように、撮像装置１は、レンズ１０、シャッタユニット１１、撮像素子１２、信号処理部１３、画像処理部１４、操作部１５、表示部１６、メモリＩ／Ｆ１７、加速度センサ１８、及び主制御部１９を備える。
【００１２】
レンズ１０は、透過した光を撮像素子１２に結像させる。レンズ１０は、複数のレンズが組み合わされた撮像レンズと、絞り機構と、撮像レンズ及び絞り機構の動作を制御するレンズ制御部と、フォーカスリングと、ズームリングと、を備える。
【００１３】
撮像レンズは、被写体からの光線を、撮像素子１２の撮像面上に結像させる。撮像レンズは、合焦用のレンズ（フォーカスレンズ）と、焦点距離を変更する為のレンズ（バリエータレンズ及びコンペンセータレンズ）と、リレーレンズと、を備える。撮像レンズは、レンズ制御部の制御またはフォーカスリングの操作に基づいてフォーカスレンズを撮像レンズの光軸方向に移動させることによって被写体像を撮像素子１２の撮像面上に結像させる。また、撮像レンズは、レンズ制御部の制御またはズームリングの操作に基づいてバリエータレンズ及びコンペンセータレンズを撮像レンズの光軸方向に移動させることによって焦点距離を変更する。
【００１４】
絞り機構は、開閉自在に構成され、撮像レンズを介して撮像素子１２に入射する光線の量をレンズ制御部の制御に基づいて調整する。
【００１５】
レンズ制御部は、主制御部１９と通信可能に構成される。レンズ制御部は、主制御部１９からの入力、フォーカスリングの操作、及びズームリングの操作に従って、フォーカスレンズの駆動、バリエータレンズ及びコンペンセータレンズの駆動、及び絞り機構の駆動をそれぞれ制御する。また、レンズ制御部は、バリエータレンズ及びコンペンセータレンズの位置を検出することにより撮像レンズの焦点距離を検出することができる。レンズ制御部は、検出した撮像レンズの焦点距離を主制御部１９に入力する。
【００１６】
シャッタユニット１１は、レンズ１０を透過して撮像素子１２に入射する光の光量を調整する機構である。シャッタユニット１１は、例えばフォーカルプレーンシャッタである。シャッタユニット１１は、図３に示すようにレンズ１０と撮像素子１２との間に設けられ、レンズ１０を透過した光を撮像素子１２の撮像面に入射させる開放状態と、レンズ１０を透過した光から撮像素子１２の撮像面を遮光する遮光状態と、を作る。シャッタユニット１１は、先幕２１と、後幕２２と、先幕２１及び後幕２２を駆動するシャッタ駆動装置２３を備える。シャッタ駆動装置２３は、主制御部１９から入力されたシャッタ速度に基づく速度及びタイミングで先幕２１及び後幕２２を動作させてレンズ１０を透過した光が撮像素子１２の撮像面に入射する露光時間を調整することにより、撮像素子１２に入射する光の光量を調整する。
【００１７】
シャッタユニット１１は、撮像装置１が静止画を記録する撮像動作を実行可能な状態である撮像待機状態では、先幕２１及び後幕２２が完全に開いた状態である開放状態を維持する。先幕２１は、シャッタユニット１１の下部に設けられ、後幕２２は、シャッタユニット１１の上部に設けられている。シャッタユニット１１は、撮像動作を実行する場合、初めに先幕２１を下から上に閉じる動作を開始する。先幕２１を閉じる動作を開始してから先幕２１が完全に閉まった遮光状態になるまでの間、シャッタユニット１１は、撮像素子１２の一部が先幕２１により遮光された半遮光状態を作る。先幕２１が完全に閉じて遮光状態になると、シャッタユニット１１は、先幕２１を上から下に開く動作を開始すると共に、後幕２２を上から下に閉じる動作を開始する。この場合、上から下に開く先幕２１と上から下に閉じる後幕２２との間に形成されるスリット（開口部）を通った光が撮像素子１２に入射する。先幕２１が完全に開き、且つ後幕２２が完全に閉まると、シャッタユニット１１は、後幕２２を下から上に開く動作を開始する。後幕２２を開く動作を開始してから後幕２２が完全に開くまでの間、シャッタユニット１１は、撮像素子１２の一部が後幕２２により遮光された半遮光状態を作る。後幕２２が完全に開くと、先幕２１及び後幕２２が再び開放状態になり、撮像装置１が撮像待機状態になる。
【００１８】
シャッタユニット１１は、例えば先幕２１及び後幕２２の開閉状態（先幕２１及び後幕２２の位置）を検出するセンサを備える。シャッタユニット１１は、このセンサによって先幕２１及び後幕２２の開閉状態を検出することにより、シャッタユニット１１が開放状態であるか半遮光状態であるかを検出することができる。シャッタユニット１１は、例えばフォトカプラなどの光センサ、または磁気センサなどを先幕２１及び後幕２２の開閉状態を検出するセンサとして備える。また、シャッタユニット１１は、例えば先幕２１及び後幕２２のそれぞれが動作を開始してからの経過時間に応じて先幕２１及び後幕２２の開閉状態を認識する構成であってもよい。
【００１９】
撮像素子１２は、レンズ１０の後部、即ち撮像装置１の筐体の内部側に設けられる。撮像素子１２は、光を光電変換し電荷を蓄える撮像用画素が複数配列されて構成された撮像面を備える。各撮像用画素の光が入射する面には、カラーフィルタが設けられている。撮像素子１２は、例えば、Complementary Metal Oxide Semiconductor（ＣＭＯＳ）イメージセンサ、または他の撮像素子により構成される。撮像素子１２は、レンズ１０を介して集光されて撮像面に結像された被写体像を光量に応じた電気信号に変換することにより、画像信号を生成する。なお、撮像素子１２の撮像面を構成する複数の画素は、平面状に配列されていてもよいし、曲面状に配列されていてもよい。
【００２０】
シャッタユニット１１の先幕２１と後幕２２とにより形成される開口部は、静止画の撮像動作時に撮像面の短手方向に沿って移動する。この為、撮像素子１２の撮像面の長手方向に配列された複数の画素から構成される画素群毎（ライン毎）に画像信号の生成が完了する。開口部が撮像面の短手方向の上端から下端まで移動することによって、撮像面を構成する複数の画素群によって画像信号が生成される。
【００２１】
信号処理部１３は、撮像素子１２によって生成された画像信号を主制御部１９の制御に基づいて読み出す。例えば、信号処理部１３は、主制御部１９から入力される同期信号に応じて撮像素子１２から画像信号を読み出す。より具体的には、信号処理部１３は、撮像素子１２の撮像面を構成する複数の画素からライン毎、即ち撮像面の長手方向に配列された画素群毎に画像信号を読み出す。
【００２２】
信号処理部１３は、読み出した画像信号に対して信号処理を施す。例えば、信号処理部１３は、読み出したアナログの画像信号をディジタルの画像信号（画像データ）に変換する信号処理を行う。また、信号処理部１３は、読み出したアナログの画像信号を主制御部１９により設定された増幅率で増幅するゲイン調整を行った上で画像データに変換してもよい。
【００２３】
信号処理部１３は、ディジタルの画像信号を書き込むバッファメモリを有する。信号処理部１３は、信号処理を施したディジタルの画像信号をバッファメモリに書き込む。より具体的には、信号処理部１３は、撮像素子１２の撮像面を構成する複数のライン毎に画像信号を読み出し、ディジタルの画像信号に変換し、バッファメモリに書き込む。
【００２４】
画像処理部１４は、主制御部１９の制御に基づいて信号処理部１３により信号処理が施された画像信号（ディジタルの画像信号）に対して画像処理を施す。画像処理は、例えば、色補正、ガンマ(γ)補正、コントラスト補正、白黒・カラーモード処理、リサイズ処理などである。また、画像処理は、画像データを所定のフォーマットに変換する処理を含む。所定のフォーマットは、例えば、Ｊｐｅｇ方式、ＰＮＧ方式などがある。
【００２５】
画像処理部１４は、主制御部１９の制御に基づいて画像処理を行い、画像データを記録可能な画像データ（静止画）に変換する。また、画像処理部１４は、主制御部１９の制御に基づいて画像処理を行い、画像データをスルー画表示が可能な画像データ（スルー画）を変換する。静止画は、上記の撮像動作によってシャッタユニット１１を駆動しつつ撮像素子１２により生成された画像信号に基づいて生成された画像データである。スルー画は、撮像動作が行われていない場合に撮像素子１２から周期的に読み出された画像信号に基づく画像データである。例えば、画像処理部１４は、バッファメモリに書き込まれた画像データに対して画像処理を施すことによって静止画またはスルー画を生成する。より具体的には、画像処理部１４は、バッファメモリ上の所定の領域に書き込まれた画像データに対して画像処理を施すことによって静止画またはスルー画を生成する。なお、画像処理部１４による静止画を生成する為の画像処理を静止画用画像処理と称し、スルー画を生成する為の画像処理をスルー画用画像処理と称する。
【００２６】
操作部１５は、ユーザが撮像装置１の各種の操作を行うための複数の操作部材を備える。操作部材は、例えば、タッチセンサ１５ｔ、レリーズボタン、十字ボタン、電源ボタン、及び他の種々のボタン等を含む。タッチセンサ１５ｔは、例えば、抵抗膜式タッチセンサ、または静電容量式タッチセンサ等である。即ち、タッチセンサ１５ｔは、ある領域内において指定された位置を示す情報を取得する指定位置取得部である。タッチセンサ１５ｔは、後述する表示部１６の表示パネル３１と一体に設けられ、表示パネル３１上のタッチされた位置を示す信号（タッチ位置信号）を検出し、検出したタッチ位置信号を主制御部１９に入力する。
【００２７】
レリーズボタンは、ユーザが撮像装置１に対して画像を取得する為の種々の処理を指示するための操作部材である。操作部１５は、レリーズボタンが半押しされた場合に自動露出（ＡＥ）処理及び自動合焦（ＡＦ）処理などの実行の指示を主制御部１９に対して与える。また、操作部１５は、レリーズボタンが全押しされた場合に撮像部により画像を取得する撮像動作の指示を主制御部１９に対して与える。
【００２８】
十字ボタンは、ユーザが撮像装置１に対して上下左右の選択動作を指示するための操作部材である。例えば、操作部１５は、ユーザによる十字ボタンの操作に応じて種々のメニュー内での上下左右の選択動作の指示を主制御部１９に対して与える。
【００２９】
電源ボタンは、ユーザが撮像装置１の電源のＯＮＯＦＦを切り替える為の操作部材である。
【００３０】
表示部１６は、主制御部１９から入力された画像を出力する画像出力部である。表示部１６は、主制御部１９から入力された画像データに基づいて画面を表示する。表示部１６は、表示装置と、画像データに基づいて画面を表示装置に表示させる駆動回路と、を備える。表示部１６は、例えば表示パネル３１、及び電子ビューファインダー（ＥＶＦ）３２を表示装置として備える。また、表示部１６は、ＥＶＦ３２をユーザが覗いているか否かを検出するアイセンサ３３を備える。表示パネル３１は、例えば液晶ディスプレイ、有機ＥＬディスプレイ、または他の画面を表示する為の装置により構成される。ＥＶＦ３２は、例えば、液晶ディスプレイまたは有機ＥＬディスプレイなどの表示装置と、接眼光学系と、を備える。
【００３１】
表示部１６は、アイセンサ３３によりユーザがＥＶＦ３２を覗いていることが検出された場合、表示パネル３１の表示をオフにし、ＥＶＦ３２により表示を行わせる。また、表示部１６は、アイセンサ３３によりユーザがＥＶＦ３２を覗いていることが検出されなかった場合、ＥＶＦ３２の表示をオフにし、表示パネル３１により表示を行わせる。なお、表示部１６は、主制御部１９から入力された画像を外部の機器に出力する出力部などとして構成されていてもよい。
【００３２】
メモリＩ／Ｆ１７は、複数の接触端子を備える記録媒体Ｍを挿入可能なカードスロットと、記録媒体Ｍがカードスロットに挿入された場合に記録媒体Ｍの接触端子と電気的に接続される接触端子と、を備える。記録媒体Ｍは、例えばメモリカードである。メモリＩ／Ｆ１７は、記録媒体Ｍと主制御部１９との間でのデータの入出力を中継する。
【００３３】
加速度センサ１８は、撮像装置１の筐体の加速度の変化を検出することにより、撮像装置１の筐体の傾きを検出する。また、加速度センサ１８は、撮像装置１の筐体の加速度の変化を検出することにより、撮像装置１のレンズ１０及び筐体が左右に振られるパン（パンニング）が行われているか否か検出する。即ち、加速度センサ１８は、ユーザがパンニングで被写体を追っていることを検出する。
【００３４】
主制御部１９は、撮像装置１の各部の動作を制御する。主制御部１９は、例えばＣＰＵとメモリとを備える。主制御部１９は、例えばＣＰＵがメモリに記憶されているプログラムを読み出して実行することによって種々の機能を実現する。例えば、主制御部１９は、操作判定部４１、撮像制御部４２、記録制御部４３、スルー画処理部４４、スルー画制御部４５、及び表示制御部４６として機能する。
【００３５】
操作判定部４１は、操作部１５により入力された操作の判定を行う。即ち、操作判定部４１は、操作部１５によりどのような操作が指示されたかを認識する。
【００３６】
撮像制御部４２は、撮像動作を指示する操作が入力された場合、各部を制御して撮像動作を実行する。例えば、撮像制御部４２は、撮像動作を指示する操作が入力された場合、レンズ１０に制御信号を入力して絞り機構を駆動させ、シャッタユニット１１に制御信号を入力して先幕２１及び後幕２２を駆動させることによって、静止画を撮像する撮像動作を実行する。
【００３７】
また、撮像制御部４２は、撮像動作を実行する前に撮像補助制御を実行する。撮像補助制御は、例えば、ＡＦ処理及びＡＥ処理などの処理である。撮像制御部４２は、撮像素子１２により撮像されたスルー画に基づいて撮像補助制御を行う。撮像制御部４２は、撮像補助制御の結果を用いて撮像動作を行う。なお、撮像動作中に撮像素子１２によるスルー画の撮像ができない為、撮像制御部４２は、撮像動作中に撮像補助制御を停止させる。
【００３８】
また、撮像制御部４２は、撮影動作を連続して実行することができる。例えば、撮像制御部４２は、撮像動作を連続して実行する指示する操作が入力された場合、レンズ１０に制御信号を入力して絞り機構を駆動させつつ、シャッタユニット１１を連続して動作させることによって、静止画を連続して撮像する連写撮像動作を実行する。例えば、撮像制御部４２は、操作部１５の操作に基づいて、連写撮像動作を行うモード（連写モード）と連写撮像動作を行わないモードとを切り替える。
記録制御部４３は、静止画及び動画を一時的に記録する中間バッファを備える。記録制御部４３は、撮像動作によって取得した静止画、及び動画等を中間バッファに逐次記録する。記録制御部４３は、中間バッファに記録されている静止画及び動画等をファイル化し、メモリＩ／Ｆ１７に装着されている記録媒体Ｍに書き込む。静止画ファイルは、静止画の画像データに所定のヘッダが付与されたファイルである。ヘッダには、例えば、露出条件を示すデータ等がタグデータとして記録される。
【００３９】
スルー画処理部４４は、撮像素子１２、信号処理部１３、及び画像処理部１４によってスルー画を生成する。スルー画処理部４４は、生成したスルー画を表示部１６により出力する。例えば、スルー画処理部４４は、撮像素子１２により生成された画像信号を信号処理部１３により周期的に読み出し、読み出された画像信号に対して画像処理部１４によりスルー画用画像処理を施すことにより、スルー画を生成する。
【００４０】
例えば、スルー画処理部４４は、撮像素子１２から信号処理部１３により第１のフレームレートで画像信号を読み出し、画像処理部１４によりスルー画用画像処理を施してスルー画（第１のスルー画）を取得し、表示部１６に出力する第１のスルー画処理を行う。また、例えば、スルー画処理部４４は、撮像素子１２から信号処理部１３により第１のフレームレートより高い第２のフレームレートで画像信号を読み出し、画像処理部１４によりスルー画用画像処理を施してスルー画（第２のスルー画）を取得し、表示部１６に出力する第２のスルー画処理を行う。スルー画処理部４４は、第１のスルー画処理と第２のスルー画処理とをスルー画制御部４５の制御に基づいて切り替える。
【００４１】
第２のフレームレートは、第１のフレームレートの整数倍である。より具体的には、第１のフレームレートは、６０フレーム毎秒（６０ｆｐｓ）であり、第２のフレームレートは、１２０フレーム毎秒（１２０ｆｐｓ）である。
【００４２】
さらに、スルー画処理部４４は、第１のスルー画処理を行う場合に撮像素子１２から信号処理部１３により読み出した画像信号を第１のゲインで調整して画像データに変換する。また、スルー画処理部４４は、第２のスルー画処理を行う場合に撮像素子１２から信号処理部１３により読み出した画像信号を第１のゲインよりも利得の高い第２のゲインで調整して画像データに変換する。例えば、第２のゲインは、第１のフレームレートから第２のフレームレートにすることにより生じる露出の低下を打ち消す値で設定される。これにより、スルー画処理部４４は、第１のスルー画よりも撮像素子１２の露光時間の短い第２のスルー画の露出の不足を補う。
【００４３】
スルー画制御部４５は、シャッタユニット１１の開口部の状態に応じてスルー画処理部４４により実行するスルー画処理を第１のスルー画処理と第２のスルー画処理とで切り替える。また、例えば、スルー画制御部４５は、撮像装置１の状態が特定の条件（特定条件）に該当するか否かを判定し、撮像装置１の状態が特定条件に該当する場合に、シャッタユニット１１の開口部の状態に応じてスルー画処理部４４により実行するスルー画処理を第１のスルー画処理と第２のスルー画処理とで切り替えてもよい。
【００４４】
特定条件は、より早くユーザにスルー画を確認させる必要がある場面を示す。例えば、特定条件は、連写中である、被写体を追尾中である、フレーム間で所定以上移動する被写体が写っている、ＥＶＦ３２をユーザが覗いている、オートフォーカスのモードがＡＦ−Ｃである、シャッタ速度が予め設定されたシャッタ速度よりも速い、及びレンズ１０の撮像レンズの焦点距離が予め設定された焦点距離よりも長いなどである。スルー画制御部４５は、撮像装置１の状態が上記の特定条件に該当するか否かを判定し、判定結果に基づいてスルー画処理部４４により実行するスルー画処理を第１のスルー画処理と第２のスルー画処理とで切り替える。
【００４５】
スルー画制御部４５は、撮像装置１の状態が特定条件に該当する場合、シャッタユニット１１が開放状態であるか半遮光状態であるかを撮像装置１の状態として判定する。スルー画制御部４５は、シャッタユニット１１が開放状態であると判定した場合に第１のスルー画処理を実行するようにスルー画処理部４４を制御する。また、スルー画制御部４５は、シャッタユニット１１が半遮光状態である場合に第２のスルー画処理を実行するようにスルー画処理部４４を制御する。
【００４６】
表示制御部４６は、表示部１６による表示処理を制御する。例えば、表示制御部４６は、表示部１６に画像データを入力することにより表示部１６の表示装置に表示させる画面を制御する。例えば、表示制御部４６は、撮像動作によって取得した静止画を表示部１６に表示させる。また、表示制御部４６は、スルー画処理部４４により生成されたスルー画を表示部１６に表示させることにより、表示部１６にスルー画表示を行わせる。
【００４７】
さらに、表示制御部４６は、各種の設定情報及び撮像装置１の状態などに基づいて種々のアイコン及び文字などの表示を含むオンスクリーンディスプレイ（ＯＳＤ）表示を表示部１６に表示させるためのＯＳＤデータを生成する。例えば、表示制御部４６は、撮像装置１の撮影モード、各種の設定情報、バッテリー残量、撮影可能枚数及び撮影可能時間、並びにＡＦエリアなどを表示部１６の表示装置に表示させるためのＯＳＤデータを生成する。表示制御部４６は、ＯＳＤデータに基づくＯＳＤ表示を重畳させた画面を表示部１６に入力する。
（第１の実施形態）
次に図４乃至図６を用いて第１の実施形態に係る撮像装置１の動作について詳細に説明する。図４及び図５は、撮像装置１の動作例について説明する為のフローチャートである。図６は、撮像装置１の動作例について説明する為のタイミングチャートである。
【００４８】
撮像装置１が撮像待機状態である場合、主制御部１９は、スルー画処理部４４によって第１のスルー画処理を行う。これによって、スルー画処理部４４は、撮像素子１２から第１のフレームレートで画像信号を読み出して第１のスルー画を撮像する（ステップＳ１１）。スルー画処理部４４は、表示部１６に第１のスルー画を入力することにより、表示部１６の表示装置に第１のフレームレートで第１のスルー画を表示させる（ステップＳ１２）。図６の例によると、スルー画処理部４４は、タイミングｔ０からｔ１において第１のスルー画処理を実行する。
【００４９】
主制御部１９は、操作部１５のレリーズボタンが半押しされた否か判断する（ステップＳ１３）。即ち、主制御部１９は、ＡＥ処理及びＡＦ処理などの撮像補助制御を指示する操作が操作部１５により入力されたか否か判断する。操作部１５のレリーズボタンが半押しされたと判断した場合（ステップＳ１３、ＹＥＳ）、主制御部１９は、ＡＥ処理及びＡＦ処理などの撮像補助制御を実行する（ステップＳ１４）。
【００５０】
主制御部１９は、操作部１５のレリーズボタンが全押しされた否か判断する（ステップＳ１５）。即ち、主制御部１９は、撮像動作を指示する操作が操作部１５により入力されたか否か判断する。操作部１５のレリーズボタンが全半押しされたと判断した場合（ステップＳ１５、ＹＥＳ）、主制御部１９は、第１のスルー画処理を停止させ、静止画を撮像する撮像動作を実行する（ステップＳ１６）。この場合、主制御部１９は、シャッタユニット１１を動作させ、撮像素子１２により静止画を撮像し、静止画をファイル化して記録媒体Ｍに記録する。
【００５１】
主制御部１９のスルー画制御部４５は、撮像装置１の状態が上記のような特定条件に該当するか否か判断する（ステップＳ１７）。主制御部１９は、撮像装置１の状態が特定条件に該当しないと判断した場合、撮像動作後に後幕２２が完全に開いてからスルー画処理部４４による第１のスルー画処理を再開させる。主制御部１９は、処理を終了するか否か判断する（ステップＳ１８）。即ち、主制御部１９は、例えば、操作部１５の電源ボタンなどが操作され、処理を終了する指示が操作部１５により入力されたか否か判断する。処理を終了すると判断した場合（ステップＳ１８、ＹＥＳ）、主制御部１９は、電源をＯＦＦし処理を終了する。また、処理を終了しないと判断した場合（ステップＳ１８、ＮＯ）、主制御部１９は、ステップＳ１１の処理に戻る。
【００５２】
また、主制御部１９は、ステップＳ１３で操作部１５のレリーズボタンが半押しされていないと判断した場合（ステップＳ１３、ＮＯ）、またはステップＳ１５で操作部１５のレリーズボタンが全半押しされていないと判断した場合（ステップＳ１５、ＮＯ）、ステップＳ１８の処理に移る。
【００５３】
上記したように、主制御部１９は、撮像装置１の状態が特定条件に該当しない場合、撮像動作後にシャッタユニット１１が開放状態になるまでの間、スルー画処理部４４による第１のスルー画処理を停止させる。
【００５４】
図６の例によると、タイミングｔ２において撮像動作を指示する操作が入力されている。主制御部１９は、図６のタイミングｔ２からｔ３においてシャッタユニット１１の先幕２１を閉じ、タイミングｔ３から撮像素子１２による露光を開始する。主制御部１９は、シャッタ速度に応じたタイミングｔ４からシャッタユニット１１の後幕２２を閉じる動作を開始する。また、主制御部１９は、撮像素子１２の撮像面の露光が完了したラインから画像信号の読み出しを開始する。主制御部１９は、タイミングｔ５においてシャッタユニット１１の後幕２２を完全に閉じると、タイミングｔ６までの間に画像信号の読み出しが完了していないラインから画像信号の読み出しを行う。主制御部１９は、タイミングｔ７から、シャッタユニット１１の後幕２２を開く動作を開始する。また、シャッタユニット１１の後幕２２は、タイミングｔ９において完全に開き、シャッタユニット１１が開放状態になる。
【００５５】
なお、シャッタユニット１１の後幕２２が閉じ始めてから完全に閉じるまでの時間、即ちタイミングｔ４とタイミングｔ５との間の時間は、シャッタユニット１１の仕様によって定まる。また、シャッタユニット１１が完全に閉じてから開く動作を開始するまでの間の時間、即ちタイミングｔ６とタイミングｔ７との間の時間は、シャッタユニット１１の仕様によって定まる。またさらに、シャッタユニット１１の後幕２２が開き始めてから完全に開くまでの時間、即ちタイミングｔ７とタイミングｔ９との間の時間は、シャッタユニット１１の仕様によって定まる。
【００５６】
主制御部１９は、ステップＳ１７で撮像装置１の状態が特定条件に該当すると判断した場合（ステップＳ１７、ＹＥＳ）、撮像動作後にシャッタユニット１１が開放されたか否か判断する（ステップＳ２１）。撮像動作後にシャッタユニット１１が開放されたと判断した場合（ステップＳ２１、ＹＥＳ）、主制御部１９は、ステップＳ１８の処理に移る。
【００５７】
撮像動作後にシャッタユニット１１が開放されていないと判断した場合（ステップＳ２１、ＮＯ）、主制御部１９のスルー画制御部４５は、シャッタユニット１１が遮光状態から半遮光状態になったか否か判定する（ステップＳ２２）。スルー画制御部４５は、シャッタユニット１１が遮光状態から半遮光状態になっていないと判定した場合、即ち、シャッタユニット１１が既に半遮光状態である、またはシャッタユニット１１が遮光状態のままである場合（ステップＳ２２、ＮＯ）、ステップＳ２４の処理に移行する。スルー画制御部４５は、シャッタユニット１１が遮光状態から半遮光状態になったと判定した場合、スルー画処理部４４による第２のスルー画処理において画像信号を撮り込むタイミングを認識する（ステップＳ２３）。即ち、スルー画制御部４５は、シャッタユニット１１が遮光状態から半遮光状態になってからスルー画処理部４４による第２のスルー画処理を開始するタイミングと、スルー画処理部４４による第２のスルー画処理における画像信号の取り込みタイミングを認識する。
【００５８】
まず、スルー画制御部４５は、静止画の撮像時にレリーズ指示が入力されたタイミングとシャッタ速度とに基づいて、シャッタユニット１１が遮光状態から半遮光状態になる第１のタイミングと、シャッタユニット１１が半遮光状態から開放状態になる第２のタイミングと、を算出する。
【００５９】
スルー画制御部４５は、シャッタユニット１１が半遮光状態から開放状態になった第２のタイミングで第２のスルー画処理から第１のスルー画処理に切り替える。この為に、スルー画制御部４５は、第２のタイミングで第２のスルー画処理から第１のスルー画処理に切り替えることが可能であり、且つスルー画用の画像信号の読み出しと表示部１６によるスルー画の出力との同期がとれる第１のタイミング以降の最初のタイミングを第２のスルー画処理を開始するタイミング（第３のタイミング）として認識する。即ち、スルー画制御部４５は、第２のタイミングで第２のフレームレート（１２０ｆｐｓ）から第１のフレームレート（６０ｆｐｓ）に変更が可能な同期信号が第１のタイミング以降で最初にＯＮになるタイミングを第２のスルー画処理を開始する第３のタイミングとして認識する。スルー画制御部４５は、第１のタイミングから第３のタイミングまでの間をスルー画処理を行わないタイミング調整期間とする。スルー画制御部４５は、第３のタイミングから第２のスルー画処理を行うようにスルー画処理部４４を制御する。さらに、スルー画制御部４５は、第２のスルー画処理を開始したタイミングから第２のフレームレートに応じた間隔毎に画像信号を取り込むようにスルー画処理部を制御する。
【００６０】
図６の例によると、シャッタユニット１１が遮光状態から半遮光状態になるタイミングｔ７が第１のタイミングであり、シャッタユニット１１が半遮光状態から開放状態になるタイミングｔ９が第２のタイミングである。また、第２のスルー画処理を開始するタイミングｔ８が第３のタイミングである。上記のように、第３のタイミングであるタイミングｔ３は、タイミングｔ７と、タイミングｔ９と、第２のフレームレートと、が定まれば算出が可能である。
【００６１】
なお、スルー画制御部４５は、シャッタユニット１１が遮光状態から半遮光状態になってから第３のタイミングを算出する構成でなくてもよい。スルー画制御部４５は、レリーズ指示が入力されてからであればいつ第３のタイミングを算出する構成であってもよい。また、画像信号の取り込みタイミングを示す同期信号は、スルー画制御部４５、スルー画処理部４４のいずれが生成するものであってもよい。画像信号の取り込みタイミングを示す同期信号は、スルー画処理部４４の制御に基づいて信号処理部１３が生成するものであってもよい。
【００６２】
スルー画制御部４５は、画像信号の読み出しを実行するタイミングになったか否か判定する（ステップＳ２４）。スルー画制御部４５は、画像信号の読み出しを実行するタイミングになっていないと判定した場合（ステップＳ２４、ＮＯ）、ステップＳ２１に移行する。スルー画制御部４５は、画像信号の読み出しを実行するタイミングになったと判定した場合（ステップＳ２４、ＹＥＳ）、第２のスルー画処理における露出制御を実行するようにスルー画処理部４４を制御する（ステップＳ２５）。例えば、露出制御は、撮像素子１２から読み出した第２のスルー画用の画像信号に対するゲイン調整の為の増幅率の制御である。
【００６３】
スルー画制御部４５は、第２のスルー画用の画像信号を取り込むようにスルー画処理部４４を制御する（ステップＳ２６）。スルー画処理部４４は、信号処理部１３によって撮像素子１２から読み出した画像信号をディジタルの画像信号に変換し、バッファメモリに書き込む。
【００６４】
スルー画制御部４５は、第２のスルー画用の画像信号に対して画像処理を施すようにスルー画処理部４４を制御する（ステップＳ２７）。スルー画処理部４４は、信号処理部１３により信号処理が施されたディジタルの画像信号に対して画像処理部１４によって画像処理を施す。例えば、スルー画処理部４４は、バッファメモリに書き込まれたディジタルの画像信号に対して画像処理部１４によってスルー画用画像処理を施すことにより、第２のスルー画を取得する。
【００６５】
スルー画制御部４５は、取得した第２のスルー画を表示部１６により出力するようにスルー画処理部４４を制御し（ステップＳ２８）、ステップＳ２１に戻る。スルー画処理部４４は、画像処理部１４によるスルー画用画像処理によって生成された第２のスルー画を表示部１６により表示する。スルー画制御部４５は、シャッタユニット１１が遮光状態から半遮光状態になってから開放状態になるまでの間にステップＳ２４乃至ステップＳ２８の処理を第２のフレームレートで繰り返し行う。これにより、スルー画制御部４５は、シャッタユニット１１が遮光状態から半遮光状態になってから開放状態になるまでの間に第２のスルー画処理を実行することができる。
【００６６】
上記したように、第１の実施形態に係る撮像装置１は、第１のフレームレートで第１のスルー画を取得して第１のスルー画を出力する第１のスルー画処理と、第１のフレームレートより高い第２のフレームレートで第２のスルー画を取得して第２のスルー画を出力する第２のスルー画処理と、のいずれかを実行可能に構成されている。さらに、撮像装置１は、シャッタユニット１１の状態に応じてスルー画処理を第１のスルー画処理と第２のスルー画処理とで切り替える。例えば、撮像装置１は、撮像動作後のシャッタユニット１１が開ききっていない半遮光状態で第２のスルー画処理を行い、シャッタユニット１１が開ききった開放状態で第１のスルー画処理を行うことにより、撮像動作の実行時後のスルー画の表示が行われない像消失期間を短くすることができる。つまり、前記スルー画制御部は、前記シャッタユニットが開放状態であるか半遮光状態であるかを前記シャッタユニットの状態として判定し、前記シャッタユニットが開放状態である場合と半遮光状態である場合とでスルー画処理を変更して実行するように前記スルー画処理部を制御している。しかしこの半遮光状態は、必ずしも、字義通りに撮像面の半分が遮光されたものである必要はない。半遮光状態は、撮像面の一部が遮光された状態でも、撮像面の大部分が遮光された状態であってもよい。即ち、撮像面上の遮光されていない領域によって撮像素子により有効な情報としての画像を得ることができる状態であれば、得た画像を積極的に利用することが重要である為、以上のようなケースを一括して半遮光状態と称している。また、上記の開放状態、遮光状態、及び半遮光状態は、それぞれシャッタユニットの開口の度合として言い換えてもよい。ただし、シャッタユニットの開口の度合いは、時間によって変化する。したがって、繰り返し行われる撮像素子の読み出しのタイミングとの関係を考慮しなければならない。
【００６７】
また、上記のように第１のフレームレートは、６０フレーム毎秒（６０ｆｐｓ）であり、第２のフレームレートは、１２０フレーム毎秒（１２０ｆｐｓ）である。即ち、第２のフレームレートは、第１のフレームレートの整数倍である。この場合、第１のフレームレートにおける同期信号のパルス、即ち画像信号の取り込みタイミングは、第２のフレームレートにける画像信号の取り込みタイミングに含まれる。この為、撮像装置１は、第１のスルー画処理と第２のスルー画処理とをスムーズに切り替えることができる。もちろん、整数倍も各フレームレートの具体的数値もこれに限られるものではない。第２のフレームレートは、第１のフレームレートより、短い周期で切り替わる方が、多くの情報が得られるので、本願の主旨にふさわしいということである。
（第２の実施形態）
次に図７及び図８を用いて第２の実施形態に係る撮像装置１の動作の他の例について説明する。図７は、撮像装置１の動作の他の例について説明する為のフローチャートである。図８は、撮像装置１の動作の他の例について説明する為のタイミングチャートである。なお、第２の実施形態は、シャッタユニット１１が遮光状態から半遮光状態になった第１のタイミングから、第２のスルー画処理を開始する第３のタイミングまでの間に第３のスルー画処理が実行される点が第１の実施形態と異なる。なお、撮像装置１の構成、及び図４の説明は、第１の実施形態と同様である為、説明を省略する。
【００６８】
図７に示すように、主制御部１９は、図４のステップＳ１７で撮像装置１の状態が特定条件に該当すると判断した場合（ステップＳ１７、ＹＥＳ）、撮像動作後にシャッタユニット１１が開放されたか否か判断する（ステップＳ３１）。撮像動作後にシャッタユニット１１が開放されたと判断した場合（ステップＳ３１、ＹＥＳ）、主制御部１９は、図４のステップＳ１８の処理に移る。
【００６９】
撮像動作後にシャッタユニット１１が開放されていないと判断した場合（ステップＳ３１、ＮＯ）、主制御部１９のスルー画制御部４５は、シャッタユニット１１が遮光状態から半遮光状態になったか否か判定する（ステップＳ３２）。スルー画制御部４５は、シャッタユニット１１が遮光状態から半遮光状態になっていないと判定した場合、即ち、シャッタユニット１１が既に半遮光状態である、またはシャッタユニット１１が遮光状態のままである場合（ステップＳ３２、ＮＯ）、ステップＳ３５の処理に移行する。スルー画制御部４５は、シャッタユニット１１が遮光状態から半遮光状態になったと判定した場合、スルー画処理部４４による第２のスルー画処理において画像信号を撮り込むタイミングを認識する（ステップＳ３３）。即ち、スルー画制御部４５は、第１の実施形態と同様に第１のタイミングと、第２のタイミングと、第３のタイミングと、を算出する。
【００７０】
スルー画制御部４５は、図８に示されるように、第１のタイミングから第３のタイミングまでの間、第３のスルー画処理を行うようにスルー画処理部４４を制御する（ステップＳ３４）。第３のスルー画処理は、第２のフレームレートより高い第３のフレームレートでスルー画出力を行うスルー画処理である。即ち、スルー画処理部４４は、第３のスルー画処理を実行する場合、第３のフレームレートで信号処理部１３により撮像素子１２から画像信号を取り込み、取り込んだ画像信号にスルー画用画像処理を施して第３のスルー画を生成し、生成した第３のスルー画を表示部１６により出力する。さらに、スルー画制御部４５は、第３のタイミングになった場合にスルー画処理部４４により実行するスルー画処理を第３のスルー画処理から第２のスルー画処理に切り替える。
【００７１】
なお、第３のスルー画処理における第３のフレームレートは、例えば第２のフレームレートの整数倍である。より具体的には、第３のフレームレートは、２４０フレーム毎秒（２４０ｆｐｓ）である。
【００７２】
なお、スルー画処理部４４は、第３のスルー画処理を行う場合に撮像素子１２から信号処理部１３により読み出した画像信号を第１のゲイン及び第２のゲインよりも利得の高い第３のゲインで調整して画像データに変換する。例えば、第３のゲインは、第１のフレームレートから第３のフレームレートにすることにより生じる露出の低下を打ち消す値で設定される。これにより、スルー画処理部４４は、第１のスルー画及び第２のスルー画よりも撮像素子１２の露光時間の短い第３のスルー画の露出の不足を補う。
【００７３】
スルー画制御部４５は、画像信号の読み出しを実行するタイミングになったか否か判定する（ステップＳ３５）。スルー画制御部４５は、画像信号の読み出しを実行するタイミングになっていないと判定した場合（ステップＳ３５、ＮＯ）、ステップＳ３１に移行する。スルー画制御部４５は、画像信号の読み出しを実行するタイミングになったと判定した場合（ステップＳ３５、ＹＥＳ）、第２のスルー画処理における露出制御を実行するようにスルー画処理部４４を制御する（ステップＳ３６）。例えば、露出制御は、撮像素子１２から読み出した第２のスルー画用の画像信号に対するゲイン調整の為の増幅率の制御である。
【００７４】
スルー画制御部４５は、第２のスルー画用の画像信号を取り込むようにスルー画処理部４４を制御する（ステップＳ３７）。スルー画処理部４４は、信号処理部１３によって撮像素子１２から読み出した画像信号をディジタルの画像信号に変換し、バッファメモリに書き込む。
【００７５】
スルー画制御部４５は、第２のスルー画用の画像信号に対して画像処理を施すようにスルー画処理部４４を制御する（ステップＳ３８）。スルー画処理部４４は、信号処理部１３により信号処理が施されたディジタルの画像信号に対して画像処理部１４によって画像処理を施す。例えば、スルー画処理部４４は、バッファメモリに書き込まれたディジタルの画像信号に対して画像処理部１４によってスルー画用画像処理を施すことにより、第２のスルー画を取得する。
【００７６】
スルー画制御部４５は、取得した第２のスルー画を表示部１６により出力するようにスルー画処理部４４を制御し（ステップＳ３９）、ステップＳ３１に戻る。スルー画処理部４４は、画像処理部１４によるスルー画用画像処理によって生成された第２のスルー画を表示部１６により表示する。スルー画制御部４５は、第１のタイミングから第３のタイミングまでの間に第３のスルー画処理を行うようにスルー画処理部４４を制御し、第３のタイミングから第２のタイミングまでの間にステップＳ３５乃至ステップＳ３９の処理を第２のフレームレートで繰り返し行う。これにより、スルー画制御部４５は、シャッタユニット１１が遮光状態から半遮光状態になってすぐに第３のスルー画処理実行し、且つ第３のタイミングからシャッタユニット１１が開放状態になるまでの間に第２のスルー画処理を実行することができる。
【００７７】
上記したように、第１の実施形態に係る撮像装置１は、第１のフレームレートで第１のスルー画を取得して第１のスルー画を出力する第１のスルー画処理と、第１のフレームレートより高い第２のフレームレートで第２のスルー画を取得して第２のスルー画を出力する第２のスルー画処理と、第２のフレームレートより高い第３のフレームレートで第３のスルー画を取得して第３のスルー画を出力する第３のスルー画処理と、のいずれかを実行可能に構成されている。さらに、撮像装置１は、シャッタユニットの状態に応じてスルー画処理を第１のスルー画処理と第２のスルー画処理と第３のスルー画処理とで切り替える。例えば、撮像装置１は、撮像動作後のシャッタユニット１１が開き始めた第１のタイミングから第２のスルー画処理の実行が可能になる第３のタイミングまでの間に第３のスルー画処理を行い、第２３のタイミングからシャッタユニット１１が開放状態になる第２のタイミングまでの間に第２のスルー画処理を行うことにより、撮像動作の実行時後のスルー画の表示が行われない像消失期間をさらに短くすることができる。
【００７８】
また、上記のように第１のフレームレートは、６０フレーム毎秒（６０ｆｐｓ）であり、第２のフレームレートは、１２０フレーム毎秒（１２０ｆｐｓ）であり、第３のフレームレートは、２４０フレーム毎秒（２４０ｆｐｓ）である。即ち、第３のフレームレートは第２のフレームレートの整数倍であり、第２のフレームレートは第１のフレームレートの整数倍である。この場合、第１のフレームレートにおける同期信号のパルス、即ち画像信号の取り込みタイミングは、第２のフレームレートにける画像信号の取り込みタイミングに含まれる。また、第２のフレームレートにおける同期信号のパルス、即ち画像信号の取り込みタイミングは、第３のフレームレートにける画像信号の取り込みタイミングに含まれる。この為、撮像装置１は、第１のスルー画処理と第２のスルー画処理と第３のスルー画処理とをスムーズに切り替えることができる。
【００７９】
なお、上記した第１の実施形態及び第２の実施形態では、撮像装置１は、撮像装置１の状態が特定条件に該当する場合に、シャッタユニット１１の状態に応じてスルー画処理部４４により実行するスルー画処理を第１のスルー画処理と第２のスルー画処理とで切り替える構成であると説明したがこの構成に限定されない。撮像装置１は、撮像装置１の状態が連写中である、被写体を追尾中である、フレーム間で所定以上移動する被写体が写っている、ＥＶＦ３２をユーザが覗いている、オートフォーカスのモードがＡＦ−Ｃである、シャッタ速度が予め設定されたシャッタ速度よりも速い、及びレンズ１０の撮像レンズの焦点距離が予め設定された焦点距離よりも長いなどのシャッタユニット１１の状態に因らずスルー画処理部４４により実行するスルー画処理を第１のスルー画処理と第２のスルー画処理とで切り替える構成であってもよい。
（第３の実施形態）
上記した実施形態では、撮像装置１は、信号処理部１３により取り込んだディジタルの画像信号の全体に対して画像処理部１４により画像処理を行うものと説明したが、この構成に限定されない。撮像装置１は、信号処理部１３により取り込んだディジタルの画像信号のうちのシャッタユニット１１により遮光された領域（被遮光領域）を除いた範囲に対して画像処理を施す構成であってもよい。なお、第３の実施形態に関わる撮像装置１の構成は、第１の実施形態と同様である為、説明を省略する。
【００８０】
撮像装置１のスルー画処理部４４は、第１の実施形態と同様に、静止画の撮像動作の実行後にシャッタユニット１１が開放状態になるまでの間にスルー画処理（第４のスルー画処理）を行う。例えば、スルー画処理部４４は、シャッタユニット１１が遮光状態から半遮光状態になった場合に第４のスルー画処理を開始する。スルー画制御部４５は、シャッタユニット１１が半遮光状態から開放状態になった場合にスルー画処理を第４のスルー画処理から第１のスルー画処理に切り替える。
【００８１】
図９及び図１０を用いて第３の実施形態に係る撮像装置１における第４のスルー画処理の例について説明する。図９は、撮像装置１における第４のスルー画処理のタイミングについて説明する為の説明図である。図１０は、撮像装置１において画像処理を行う範囲について説明する為の説明図である。
【００８２】
図９に示されるように、スルー画処理部４４は、シャッタユニット１１が遮光状態から半遮光状態になったタイミングｔ１１で、スルー画（第４のスルー画）を取得する為の露光を撮像素子１２により開始する。スルー画処理部４４は、タイミングｔ１１から所定時間経過後であるタイミングｔ１２で、撮像素子１２による露光を終了する。露光を終了するタイミングｔ１２は、第４のスルー画処理におけるフレームレート（第４のフレームレート）によって定まる。なお、第４のフレームレートは、第１乃至第３のフレームレートのいずれかと同じ値であってもよいし、異なる値であってもよい。
【００８３】
スルー画処理部４４は、露光を終了すると、信号処理部１３による撮像素子１２からの画像信号の取り込みを開始する。即ち、スルー画処理部４４は、露光を終了したタイミングｔ１２から画像信号の取り込みを開始する。信号処理部１３は、撮像素子１２から画像信号を読み出し、読み出した画像信号をバッファメモリに書き込む。より具体的には、信号処理部１３は、撮像素子１２の撮像面を構成する複数のライン毎に画像信号を読み出し、ディジタルの画像信号に変換し、バッファメモリに逐次書き込む。例えば、信号処理部１３は、図１０に示されるようにシャッタユニット１１が半遮光状態である場合に被遮光領域７２が含まれる画像信号７１を撮像素子１２から読み出してバッファメモリに書き込む。
【００８４】
またさらに、スルー画処理部４４は、信号処理部１３による撮像素子１２からの画像信号７１の取り込みを開始してから所定時間経過後であるタイミングｔ１３で画像処理部１４による画像処理（スルー画用画像処理）を開始する。スルー画処理部４４は、信号処理部１３による撮像素子１２からの画像信号７１の取り込みを開始してから所定時間経過後であるタイミングｔ１３で画像処理部１４による画像処理（スルー画用画像処理）を開始する。より具体的には、画像処理部１４は、バッファメモリからライン毎に画像信号７１を読み出して信号処理を施し、第４のスルー画７３を生成する。なお、画像処理部１４は、上記したようにバッファメモリ上の所定の領域に書き込まれた画像信号７１に対してスルー画用画像処理を施し第４のスルー画７３を生成する。画像信号７１が書き込まれていないバッファメモリ上の領域に対してスルー画用画像処理を行った場合、画像処理部１４は、ブランク７４を含む第４のスルー画７３を生成する。即ち、被遮光領域７２を除く画像信号７１に対してスルー画用画像処理を施す為には、スルー画用画像処理が被遮光領域７２を除く範囲の画像信号７１の取り込みを追い越さないようにスルー画用画像処理を開始するタイミングｔ１３が設定されなければならない。
【００８５】
スルー画用画像処理を開始するタイミングｔ１３は、シャッタユニット１１の開口の度合に応じて定まる。スルー画制御部４５は、信号処理部１３により撮像素子１２から読み出した複数ライン分の画像信号７１のうち、シャッタユニット１１によって遮光された被遮光領域７２を除く範囲の画像信号７１がバッファメモリに書き込まれるタイミングを認識する。例えば、スルー画制御部４５は、例えば撮像動作からの経過時間に応じてシャッタユニット１１の先幕２１及び後幕２２の位置を認識する。スルー画制御部４５は、認識したシャッタユニット１１の先幕２１及び後幕２２の位置に応じて、撮像素子１２の撮像面上においてシャッタユニット１１により遮光された領域を認識する。これにより、スルー画制御部４５は、撮像面上のシャッタユニット１１により遮光されていない領域によって生成された画像信号７１の取り込みが完了するタイミングを算出する。
【００８６】
さらに、スルー画制御部４５は、スルー画用画像処理に要する処理時間を算出する。例えば、スルー画制御部４５は、撮像面上のシャッタユニット１１により遮光されていない領域によって生成された画像信号７１に対するスルー画用画像処理に要する処理時間を算出する。
【００８７】
スルー画制御部４５は、スルー画用画像処理に要する処理時間と、撮像面上のシャッタユニット１１により遮光されていない領域によって生成された画像信号７１の取り込みが完了するタイミングと、に基づいて、スルー画用画像処理を開始するタイミングｔ１３を算出する。例えば、スルー画制御部４５は、被遮光領域７２を除く範囲の画像信号７１がバッファメモリに書き込まれる前にスルー画用画像処理が実行されないようにタイミングｔ１３を調整する。即ち、スルー画制御部４５は、バッファメモリに書き込まれた画像信号７１に対するスルー画用画像処理が被遮光領域７２を除く範囲の画像信号７１の取り込みを追い越さないようにタイミングｔ１３を設定する。スルー画制御部４５は、算出したタイミングｔ１３からスルー画用画像処理を開始するようにスルー画処理部４４を制御する。
【００８８】
さらに、スルー画処理部４４は、スルー画用画像処理が施されて生成された第４のスルー画７３を表示部１６に表示する。スルー画処理部４４は、スルー画用画像処理が開始されてから所定時間経過後であるタイミングｔ１４で第４のスルー画７３の表示部１６への表示を開始する。なお、スルー画処理部４４は、第４のスルー画７３をライン毎に、即ちスルー画用画像処理が完了したラインから順次表示部１６に入力する。
【００８９】
上記したように、撮像装置１は、被遮光領域７２を除いた画像信号の取り込みが完了するタイミングを算出し、被遮光領域７２を除いた画像信号に対するスルー画用画像処理に要する時間を算出し、スルー画用画像処理が被遮光領域７２を除いた画像信号の取り込みを追い越さないタイミングでスルー画用画像処理を開始する。これにより、全てのラインにおいて画像信号の取り込みタイミングをスルー画用画像処理が追い越さないようにスルー画用画像処理を開始する場合に比べて、より早いタイミングでスルー画用画像処理を開始することができる。この結果、撮像装置１は、撮像動作の実行時後のスルー画の表示が行われない像消失期間を短くすることができる。
【００９０】
なお、上記した実施形態では、スルー画処理部４４は、バッファメモリ上の所定の領域に書き込まれた画像信号７１に対して画像処理部１４によってスルー画用画像処理を施して第４のスルー画７３を生成する構成であると説明したが、この構成に限定されない。スルー画処理部４４は、被遮光領域７２を除く画像信号７１に対してのみ画像処理部１４によってスルー画用画像処理を施す構成であってもよい。この為に、スルー画処理部４４は、静止画の撮像動作からの経過時間に応じてシャッタユニット１１の先幕２１、及び後幕２２の位置を認識することにより、バッファメモリ上の被遮光領域７２を除く画像信号７１が書き込まれた領域を認識する。スルー画処理部４４は、バッファメモリ上の認識した領域に書き込まれている画像信号７１に対して画像処理部１４によってスルー画用画像処理を施す。このような構成によると、スルー画用画像処理に要する時間を短縮することができる。この結果、撮像装置１は、撮像動作の実行時後のスルー画の表示が行われない像消失期間を短くすることができる。
【００９１】
なお、上記の実施形態では、撮像装置１がレンズ１０を備える構成について説明したが、この構成に限定されない。撮像装置１は、レンズ１０を装着可能なマウントをレンズ１０の代わりに備える構成であってもよい。
【００９２】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【００９３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００９４】
１…撮像装置、１０…レンズ、１１…シャッタユニット、１２…撮像素子、１３…信号処理部、１４…画像処理部、１５…操作部、１５ｔ…タッチセンサ、１６…表示部、１８…加速度センサ、１９…主制御部、２１…先幕、２２…後幕、２３…シャッタ駆動装置、３１…表示パネル、３２…電子ビューファインダー、３３…アイセンサ、４１…操作判定部、４２…撮像制御部、４３…記録制御部、４４…スルー画処理部、４５…スルー画制御部、４６…表示制御部。
【図１】
0006539607.tif 000002
【図２】
0006539607.tif 000003
【図３】
0006539607.tif 000004
【図４】
0006539607.tif 000005
【図５】
0006539607.tif 000006
【図６】
0006539607.tif 000007
【図７】
0006539607.tif 000008
【図８】
0006539607.tif 000009
【図９】
0006539607.tif 000010
【図１０】
0006539607.tif 000011